(57)【特許請求の範囲】
【請求項１】
笠木の外形形状に合わせて屈曲成形され、前記笠木に外嵌する外表部と笠木端面に当接するフランジ部を有する枠部材と、該枠部材に固定された端板とを具備することを特徴とする笠木のエンドキャップ構造。
【請求項２】
笠木の端部に嵌合可能なエンドキャップであり、該エンドキャップは枠部と端板部で上下対称に一体成形され、前記笠木の角部に内嵌可能な位置決め突起が前記端板部に上下対称の位置に形成され、前記枠部が前記笠木の上面、前後両面により形成される形状を包含可能となっており、前記位置決め突起の一方が前記笠木の角部に内嵌可能な位置にある時、他方は包含される形状の外にあることを特徴とする笠木のエンドキャップ構造。
【請求項３】
前記外表部の一端側の先端に前記フランジ部に平行又は略平行な枠縁部が形成され、該枠縁部と前記フランジ部との間には前記端板が嵌合する溝部が形成された請求項１の笠木のエンドキャップ構造。
【請求項４】
前記外表部の他端側の先端に水切り部が形成され、該水切り部が笠木の上面に密着又は略密着する請求項１の笠木のエンドキャップ構造。
【発明の詳細な説明】
【０００１】
【発明の属する技術分野】
本発明はバルコニー、階段等に設けられる腰壁、手摺、柵等の笠木の端部に設けられるエンドキャップの構造に関するものである。
【０００２】
【従来の技術】
腰壁、手摺等には審美性、或は躯体の保護の為、笠木が設けられる。
【０００３】
図１１〜図１３に於いて、笠木及び笠木のエンドキャップについて説明する。
【０００４】
腰壁の躯体１の上端に所定の間隔で笠木受け２を螺子止めし、該笠木受け２に笠木３が取付けられる。前記笠木受け２により前記躯体１の上端と笠木３との間に間隙が設けられ、通気性が確保される。
【０００５】
前記笠木３の端部には該笠木３内への雨水の浸入防止、或は審美性の向上の目的でエンドキャップ４が取付けられる。前記笠木３の上面は図１２にも見られる様に雨仕舞いが考慮され、手前側に向かって下り勾配が設けられている。
【０００６】
前記エンドキャップ４は図１３に示される様に、前記笠木３の端部に嵌合する嵌合部４ａと前記笠木３の端面から露出するフランジ部４ｂが一体成形されたアルミダイカスト製の部品である。
【０００７】
前記エンドキャップ４を前記笠木３に取付ける場合は、前記嵌合部４ａの周囲に両面接着テープ５を巻付け、前記嵌合部４ａを前記笠木３に嵌入することで前記両面接着テープ５により前記エンドキャップ４と笠木３とが固着される様になっている。
【０００８】
【発明が解決しようとする課題】
従来より前記エンドキャップ４は前記笠木３の断面形状に合わせて製作されており、両端に取付けられるエンドキャップ４は図１４（Ａ）、（Ｂ）に示される様に、対称形ではあるが同一ではなかった。この為、一種類の笠木に対してエンドキャップ製作用の鋳型が２組必要であった。更に、前記笠木３の形状は幅、高さ、勾配等多種多様であり、笠木の形状が異なる毎に２組のエンドキャップ製作用の鋳型が必要であった。
【０００９】
ダイカスト用の鋳型は高価であり、エンドキャップの価格で型代の占める割合が大きく、コスト低減の障害となっていた。
【００１０】
更に、微妙に形状の異なる多種のエンドキャップを管理しなければならず、部品管理も煩雑なものとなっていた。
【００１１】
本発明は斯かる実情に鑑み、エンドキャップ製作用の型の種類を少なくして、コストの低減を図ると共にエンドキャップ自体の種類を少なくして、部品管理を簡略化するものである。
【００１２】
【課題を解決するための手段】
本発明は、笠木の外形形状に合わせて屈曲成形された枠部材と、該枠部材に固定された端板とを具備する笠木のエンドキャップ構造に係り、又前記枠部材が笠木に外嵌する外表部と笠木端面に当接するフランジ部を有する笠木のエンドキャップ構造に係り、又前記枠部材が笠木に内嵌する裏当て部と笠木端面に当接するフランジ部を有する笠木のエンドキャップ構造に係り、又笠木の端部に嵌合可能なエンドキャップであり、上下対称であると共に嵌合部が前記笠木の上面、前後両面により形成される形状を包含する笠木のエンドキャップ構造に係り、又前記エンドキャップが枠部と端板部で一体成形され、該端板部に前記笠木の角部に内嵌可能な位置決め突起を形成した笠木のエンドキャップ構造に係り、更に又前記位置決め突起は上下対称の位置に設けられ、一方が笠木の角部に内嵌可能な位置にある時、他方は前記包含される形状の外にある笠木のエンドキャップ構造に係るものである。
【００１３】
【発明の実施の形態】
以下、図面を参照しつつ本発明の実施の形態を説明する。
【００１４】
図１〜図５に於いて第１の実施の形態について説明する。図１〜図５中、図１１、図１２中で示したものと同等のものには同符号を付してある。
【００１５】
笠木３の端部にエンドキャップ７が嵌合される。
【００１６】
該エンドキャップ７は枠部材８と端板９から構成されている。
【００１７】
前記枠部材８は断面が図５で示される引抜き材１１であり、該引抜き材１１を前記笠木３の形状に合わせて枠状に屈曲成形したものである。
【００１８】
前記引抜き材１１は平板状の外表部１２と、該外表部１２から垂直又は略垂直に形成されたフランジ部１３と、前記外表部１２の一端側の先端に前記フランジ部１３に平行又は略平行に形成された枠縁部１４と、前記外表部１２の他端側の先端に形成された水切り部１５とを具備した形状となっている。前記フランジ部１３と枠縁部１４との間には後述する様に、前記端板９が嵌合する溝部１６が形成される。
【００１９】
前記引抜き材１１は前記笠木３の上辺、両側辺、及び下辺の両幅端部に掛渡る長さであり、該笠木３の上側２箇所の角に該当するフランジ部１３の部分１０が略９０°の角度で切除され、更に前記フランジ部１３の前記両幅端部に該当する部分が切除される。
【００２０】
前記枠部材８は、前記フランジ部１３の所要部分が切除された状態で、前記笠木３に合致する様に屈曲成形されたものである。屈曲成形後の枠部材８は、内周の略全部に亘りフランジ部１３を有する様になっている。
【００２１】
前記端板９は前記溝部１６に嵌合される。前記端板９の嵌合は、前記枠部材８の弾性を利用し、該枠部材８の両端部を開いて嵌込む。嵌込み後、リベット、螺子等の掛止具１８により又はカシメ等により、前記端板９を前記フランジ部１３に固着し、前記枠部材８と端板９とをエンドキャップ７として一体化する。尚、前記枠部材８の両側辺部には各１つの孔１７を穿設する。該孔１７は、前記エンドキャップ７を前記笠木３に螺子、リベット等の固着具１９にて固着する場合に使用される。
【００２２】
前記エンドキャップ７を前記笠木３に取付ける場合、事前作業として該笠木３の両側面端部の前記孔１７と対応する位置に下孔を穿設しておく。尚、事前に下孔を穿設せず、取付けの際にタッピング螺子等を用い前記固着具１９自身が前記笠木３にねじ込まれる等されることで、前記エンドキャップ７を前記笠木３に固着してもよい。
【００２３】
前記エンドキャップ７を前記笠木３の端部に嵌合し、前記固着具１９により前記笠木３の端部に固着する。前記エンドキャップ７が笠木３に固着された状態では、前記外表部１２が前記笠木３の端部に外嵌し、前記笠木３の端面が前記フランジ部１３に当接する。又、前記水切り部１５が前記笠木３の上面に密着又は略密着し、雨水等が該笠木３の内部に浸入することが防止される。尚、雨水等の浸入をより防止する為、該笠木３と外表部１２との間にシール材を設けてもよい。
【００２４】
上記した様に、前記枠部材８は前記引抜き材１１を曲げ加工して製作するので、鋳型は必要なく、曲げ型或は該引抜き材１１の曲げ位置を決定する為の曲げ加工治具を用意すればよい。曲げ型、曲げ加工治具はダイカスト用の鋳型に比べ各段に製作費が安く、大幅なエンドキャップの価格低減が図れる。又、前記端板９は表裏の表面処理を同一とすれば、前記笠木３の両端で同一部品が使用できる。
【００２５】
更に、鋳型の管理、多種のエンドキャップの管理をする必要が無くなり、管理コストも大幅に低減する。
【００２６】
図６は枠部材８の変形例を示しており、前記切除部分１０の形状を変えたものである。図６に示す枠部材８では、切除部分１０を曲げ位置の前後に亘り大きく切除し、又枠縁部１４の両端部１４ａを若干除去したものである。従って、曲げ加工後（屈曲形成後）の枠部材８は大きく切除した切除部分１０により、フランジ部１３は内周略全部に亘らず、間隔を有することとなる。
【００２７】
図６の枠部材８では、曲げ加工性が良くなり、又前記枠縁部１４の両端部１４ａが切除されたので前記枠部材８に端板９を嵌込む作業がやり易くなる。
【００２８】
又、前記枠部材８を引抜き材としたので断面の形状変更が容易となり、断面形状の改善により、意匠性の向上が図れる。
【００２９】
図７は第２の実施の形態を示すものである。
【００３０】
尚、図７中、図３、図５中で示したものと同等のものには同符号を付してある。
【００３１】
該第２の実施の形態に係るエンドキャップ７も、引抜き材２１と該引抜き材２１に嵌込まれる端板９より構成される。
【００３２】
前記引抜き材２１は笠木３の形状に合わせて屈曲成形され、枠部材８が形成される。
【００３３】
前記引抜き材２１について説明する。図７は該引抜き材２１の断面を示している。
【００３４】
該引抜き材２１は外表部２２と、該外表部２２に対して鉤状に連設された枠縁部１４と、該枠縁部１４に対して平行又は略平行に形成されたフランジ部１３と、該フランジ部１３に対し垂直又は略垂直に形成された平板状の裏当て部２３とからなり、該裏当て部２３は前記フランジ部１３の上端から所要量後退した位置に形成され、先端には上方に突出する水切り部１５が形成されている。又該水切り部１５の上端は前記外表部２２から笠木３の板厚分だけ後退し、前記笠木３の表面と前記外表部２２の表面が面一又は略面一となる様になっている。
【００３５】
前記引抜き材２１が前記枠部材８に成形された後、第１の実施の形態と同様に端板９が嵌込まれる。
【００３６】
前記枠部材８の前記裏当て部２３は前記笠木３の端部に内嵌し、該笠木３の端面は前記フランジ部１３の上端部に当接する。前記笠木３と枠部材８とは前記固着具１９により固定される。
【００３７】
前記エンドキャップ７を前記笠木３に取付けた状態では、前記水切り部１５が前記笠木３の内面に密着又は略密着し、雨水等が前記笠木３の内部に浸入することが防止される。
【００３８】
第１の実施の形態と同様、前記枠部材８は前記引抜き材２１を曲げ加工して製作するので、鋳型は必要なく、曲げ型或は引抜き材２１の曲げ位置を決定する為の曲げ加工治具を用意すればよい。曲げ型、曲げ加工治具はダイカスト用の鋳型に比べ各段に製作費が安く、大幅なエンドキャップ７の価格低減が図れる。
【００３９】
尚、前記引抜き材２１の材質としては、アルミ材、合成樹脂材等引抜き、或は押出し成形が可能である材料であればよい。更に、上記実施の形態では、フランジ部１３に端板９を螺子、リベット等で固定したが、接着剤により固定してもよい。更に、前記引抜き材２１の断面形状として、前記枠縁部１４を省略してもよい。更に、接着剤により前記端板９を固定する場合は、前記フランジ部１３の幅は小さくてもよい。尚、前記端板９は前記フランジ部１３に両面接着テープで固着してもよく、更に固着せず枠部材８の弾性を利用し、嵌込むだけでもよい。
【００４０】
図８〜図１０により第３の実施の形態について説明する。
【００４１】
該第３の実施の形態に示されるエンドキャップ２５は、第１、第２の実施の形態で示した枠部材８と端板９とを一体成形したものである。
【００４２】
前記エンドキャップ２５は等脚台形を横倒しした外形形状を有し、枠部２６と端板部２７とにより浅底箱状に形成される。前記エンドキャップ２５は、アルミダイカスト製、合成樹脂の成型品等の一体成型品である。
【００４３】
前記エンドキャップ２５の等脚台形形状の内、脚辺２５ｃと上辺２５ａ、底辺２５ｂとが成す角は、笠木３の上面３ｃと前後の垂直面３ａ，３ｂとが成す角と同一又は略同一となっており、前記笠木３の後垂直面３ｂの垂直２等分線２８より上の部分は前記エンドキャップ２５の上半部と相似形となっている。尚、前記笠木３の後垂直面３ｂの下端、前垂直面３ａの下端から前記垂直２等分線２８迄の距離は同一か又は略同一となっている。即ち、前記後垂直面３ｂの下端、前垂直面３ａの下端、又はこれら下端同士を結ぶ線は、前記垂直２等分線２８に平行又は略平行となっている。
【００４４】
前記端板部２７の底辺２５ｂ側の両角部に前記枠部２６とは前記笠木３の板厚分の間隙を形成する位置決め突起２９を立設する。
【００４５】
従って、前記エンドキャップ２５を前記笠木３の端部に嵌込むと、該笠木３の上面３ｃ、後垂直面３ｂ、前垂直面３ａは前記枠部２６の上面、前後垂直面とに合致し、前記エンドキャップ２５は前記笠木３の垂直面３ａの下端近傍を除き３面に於いて略嵌合する。又、前記笠木３の上側の突起２９が前記笠木３の上面３ｃと前垂直面３ａとが成す角部に内嵌する。
【００４６】
而して、前記エンドキャップ２５は前記笠木３の端部にガタツキなく装着される。装着後皿螺子等の固着具１９で前記エンドキャップ２５と笠木３とを固定する。
【００４７】
尚、下側の前記突起２９は前垂直面３ａ下端の下側に位置し、前記笠木３からは外れた状態となっている。
【００４８】
上記エンドキャップ２５を前記笠木３の反対側の端部に嵌込む場合は、前記エンドキャップ２５を上下逆にする。前記エンドキャップ２５は前記垂直２等分線２８に関し上下対称であり、上下逆にした場合も前記笠木３の前記垂直２等分線２８より上部分と前記エンドキャップ２５の上半部も相似形となるので、図９に示したのと同様な関係で嵌込まれる。
【００４９】
即ち、前記エンドキャップ２５の嵌合部、即ち前記笠木３に嵌合する前記枠部材８の内面形状は前記笠木３の上面、前後両面の３面を包含する形状であり、而も上下対称であるので、同一形状の前記エンドキャップ２５を前記笠木３の両端部に用いることができる。
【００５０】
尚、前記突起２９は前記笠木３の後面３ｂの上下両角部に設けてもよい。又、突起の代わりに前記笠木３の上面３ｃ、前面３ａ、後面３ｂの端部の一部、上面３ｃ、後面３ｂの端部の内少なくとも１つが嵌合する溝を形成してもよい。
【００５１】
又、前記エンドキャップ２５と笠木３とを固着具１９で固着する場合は、前記突起２９は省略できる。この場合、前記エンドキャップ２５を上方から前記笠木３に押付け、ガタツキを抑制した状態で固着する。
【００５２】
【発明の効果】
以上述べた如く本発明によれば、笠木のエンドキャップが笠木の外形形状に合わせて屈曲成形された枠部材と、該枠部材に固定された端板とで構成されるので、エンドキャップを成形する為の鋳型が必要なく、エンドキャップの製作コストが大幅に低減でき、更に多種の笠木についても、使用する引抜き材は一種類でよく、又端板は一種類の笠木に一種類の端板でよく、管理する部品点数が大幅に減少し、部品管理が容易になる。又、前記笠木の端部に嵌合可能なエンドキャップであり、上下対称であると共に嵌合部が前記笠木の上面、前後両面により形成される形状を包含するので、一種類の笠木に一種類のエンドキャップでよく、管理する部品点数が減少し、成型の為の型も１つでよい等の優れた効果を発揮する。
【図面の簡単な説明】
【図１】本発明の実施の形態を示す斜視図である。
【図２】同前実施の形態の正面図である。
【図３】同前実施の形態の側断面図である。
【図４】同前実施の形態の枠部材の側面図である。
【図５】同前実施の形態に使用される引抜き材の断面図である。
【図６】他の枠部材を示す正面図である。
【図７】第２の実施の形態を示す断面図である。
【図８】第３の実施の形態を示す側面図である。
【図９】第３の実施の形態を示す正面図である。
【図１０】第３の実施の形態を示す背面図である。
【図１１】従来例の斜視図である。
【図１２】該従来例の断面図である。
【図１３】該従来のエンドキャップである。
【図１４】該従来のエンドキャップを笠木に取付けた状態の説明図である。
【符号の説明】
１          躯体
３          笠木
７          エンドキャップ
８          枠部材
９          端板
１３        フランジ部
１４        枠縁部
１５        水切り部
１６        溝部
【図１】
0004580591.tif 000002
【図２】
0004580591.tif 000003
【図３】
0004580591.tif 000004
【図４】
0004580591.tif 000005
【図５】
0004580591.tif 000006
【図６】
0004580591.tif 000007
【図７】
0004580591.tif 000008
【図８】
0004580591.tif 000009
【図９】
0004580591.tif 000010
【図１０】
0004580591.tif 000011
【図１１】
0004580591.tif 000012
【図１２】
0004580591.tif 000013
【図１３】
0004580591.tif 000014
【図１４】
0004580591.tif 000015